(57)【要約】【課題】外壁材に対してサッシが屋内側に配置された建物において、縦目地部分に浸入した水の排水を可能にし、且つ縦目地部分への水の吹き上がりを抑制する。【解決手段】止水構造３０は、外壁材３２と、サッシ３６と、縦目地材３８と、抑制部４２とを有する。外壁材３２は、建物１０の一部を構成する構成部材１２に対して屋外側に設けられている。サッシ３６は、外壁材３２とＸ方向に隣合い外壁材３２の屋外側の外面３３Ａよりも屋内側で構成部材１２に設けられている。縦目地材３８は、外壁材３２とサッシ３６との間でＹ方向に延び、構成部材１２との間に水Ｗが流れる空間部３９を形成する。抑制部４２は、空間部３９における水Ｗの吹き上がりを抑制する。【選択図】図２
2019120028.tif 000002
【特許請求の範囲】
【請求項１】
建物の一部を構成する構成部材に対して屋外側に設けられた外壁材と、
前記外壁材と建物の横方向に隣合い前記外壁材の屋外側の外面よりも屋内側で前記構成部材に設けられたサッシと、
前記外壁材と前記サッシとの間で前記建物の高さ方向に延び、前記構成部材との間に水が流れる空間部を形成する縦目地材と、
前記空間部における水の吹き上がりを抑制する抑制手段と、
を有する建物の止水構造。
【請求項２】
前記抑制手段は、前記空間部の一部に配置され水の上昇を規制する規制部材を有する請求項１に記載の建物の止水構造。
【請求項３】
前記規制部材は、前記高さ方向に間隔をあけて複数配置されている請求項２に記載の建物の止水構造。
【請求項４】
前記構成部材と前記規制部材との間には、前記高さ方向の高さが前記規制部材の高さよりも高く、前記構成部材の屋内側への水の移動を規制する止水部材が設けられている請求項２又は請求項３に記載の建物の止水構造。
【請求項５】
前記構成部材と前記外壁材とで挟まれることにより圧縮される圧縮部材が設けられた請求項２から請求項４のいずれか１項に記載の建物の止水構造。
【請求項６】
前記抑制手段は、前記構成部材と前記サッシとの間に形成され、且つ前記空間部と連通された補助空間部を有する請求項１から請求項５のいずれか１項に記載の建物の止水構造。
【請求項７】
前記構成部材には、前記補助空間部の水を排水させる流路を前記構成部材と共に形成する排水部材が設けられている請求項６に記載の建物の止水構造。
【請求項８】
前記流路の一部には、補助空間部への水の吹き上がりを抑制すると共に通気可能とされた多孔質部材が設けられている請求項７に記載の建物の止水構造。
【発明の詳細な説明】
【技術分野】
【０００１】
本発明は、建物の止水構造に関する。
【背景技術】
【０００２】
特許文献１の建物では、外壁パネルの下方側に雨水の浸入を防ぐ水切り部材が設けられている。
【先行技術文献】
【特許文献】
【０００３】
【特許文献１】特開２０１４−１１４６７０号公報
【発明の概要】
【発明が解決しようとする課題】
【０００４】
外壁材に対してサッシが屋内側に配置された（インセットされた）建物がある。この建物では、外壁材とサッシとの間の縦目地材に破損部位がある場合に、該破損部位から該縦目地材の屋内側へ水が浸入する可能性がある。
【０００５】
縦目地部分に浸入してきた水は、該縦目地部分の下側に排水口を形成することで排水が可能となる。ここで、開口幅が大きい排水口を形成した場合には、排水が容易になる一方で、台風のときに排水口から内側へ作用する雨風の圧力が高くなり、水が吹き上がり易くなる。つまり、外壁材に対してサッシが屋内側に配置された建物において、縦目地部分に浸入した水の排水を可能にし、且つ縦目地部分への水の吹き上がりを抑制するには、改善の余地がある。
【０００６】
本発明は、外壁材に対してサッシが屋内側に配置された建物において、縦目地部分に浸入した水の排水を可能にし、且つ縦目地部分への水の吹き上がりを抑制することを目的とする。
【課題を解決するための手段】
【０００７】
第１態様に係る建物の止水構造は、建物の一部を構成する構成部材に対して屋外側に設けられた外壁材と、前記外壁材と建物の横方向に隣合い前記外壁材の屋外側の外面よりも屋内側で前記構成部材に設けられたサッシと、前記外壁材と前記サッシとの間で前記建物の高さ方向に延び、前記構成部材との間に水が流れる空間部を形成する縦目地材と、前記空間部における水の吹き上がりを抑制する抑制手段と、を有する。
【０００８】
第１態様に係る建物の止水構造では、外壁材とサッシとの間で縦目地材と構成部材との間の空間部を水が流れることで、縦目地部分に浸入した水を排水することができる。一方、該空間部に対して外部から雨風が浸入することで空間部内の水が加圧され、水が吹き上がろうとした場合には、抑制手段が該空間部における水の吹き上がりを抑制する。これにより、外壁材に対してサッシが屋内側に配置された建物において、縦目地部分に浸入した水の排水を可能にし、且つ縦目地部分への水の吹き上がりを抑制することができる。
【０００９】
第２態様に係る建物の止水構造の前記抑制手段は、前記空間部の一部に配置され水の上昇を規制する規制部材を有する。
【００１０】
第２態様に係る建物の止水構造では、規制部材が空間部の一部に配置されており、空間部の他の部位が解放されているので、空間部内の水を排水することができる。さらに、空間部の一部では、規制部材が水の上昇を規制するので、水の吹き上がりを抑制することができる。このように、規制部材を設けることで、排水と水の吹き上がり抑制とを両立させることができる。
【００１１】
第３態様に係る建物の止水構造の前記規制部材は、前記高さ方向に間隔をあけて複数配置されている。
【００１２】
第３態様に係る建物の止水構造では、複数の規制部材が高さ方向に設けられているので、仮に一番下の規制部材で水の吹き上がりを抑制しきれない場合であっても、二番目以降の規制部材によって水の吹き上がりを抑制することができる。また、規制部材と規制部材との間の空間が圧力の解放部として機能するので、水の吹き上げ圧力が減圧され、水の吹き上がりをさらに抑制することができる。
【００１３】
第４態様に係る建物の止水構造の前記構成部材と前記規制部材との間には、前記高さ方向の高さが前記規制部材の高さよりも高く、前記構成部材の屋内側への水の移動を規制する止水部材が設けられている。
【００１４】
第４態様に係る建物の止水構造では、規制部材で規制しきれなかった一部の水が吹き上がった場合に、止水部材が構成部材に対する屋内側への水の移動を規制する。これにより、構成部材の屋内側に水が浸入するのを抑制することができる。
【００１５】
第５態様に係る建物の止水構造には、前記構成部材と前記外壁材とで挟まれることにより圧縮される圧縮部材が設けられている。
【００１６】
第５態様に係る建物の止水構造では、外壁材と構成部材との隙間が圧縮部材によって塞がれるので、外壁材と構成部材との隙間への水の浸入を抑制することができる。
【００１７】
第６態様に係る建物の止水構造の前記抑制手段は、前記構成部材と前記サッシとの間に形成され、且つ前記空間部と連通された補助空間部を有する。
【００１８】
第６態様に係る建物の止水構造では、空間部内に浸入された水の一部が補助空間部に浸入することで、空間部で水が溢れるのを抑制することができる。さらに、空間部と補助空間部とが繋がっていることで、吹き上がりによって加圧される空間部分の容積が空間部単体の容積に比べて大きくなるので、空間部内において吹き上がろうとする水の加圧力が減圧され、水の吹き上がりを抑制することができる。
【００１９】
第７態様に係る建物の止水構造の前記構成部材には、前記補助空間部の水を排水させる流路を前記構成部材と共に形成する排水部材が設けられている。
【００２０】
第７態様に係る建物の止水構造では、補助空間部に流れる水の量が増加した場合に、過剰な水が構成部材と排水部材との間の流路を通って排水される。これにより、補助空間部から水が溢れることを抑制することができる。
【００２１】
第８態様に係る建物の止水構造の前記流路の一部には、補助空間部への水の吹き上がりを抑制すると共に通気可能とされた多孔質部材が設けられている。
【００２２】
第８態様に係る建物の止水構造では、補助空間部の空気の一部が多孔質部材を通って外部へ流出されるために、補助空間部において圧力が高まることが抑制される。さらに、多孔質部材が外部から補助空間部への水の浸入を抑制する。これらの作用によって、空間部に向けた水の吹き上がりの加圧力が減圧されるので、補助空間部及び空間部への水の浸入を抑制することができる。
【発明の効果】
【００２３】
以上説明したように、本発明に係る建物の止水構造では、外壁材に対してサッシが屋内側に配置された建物において、縦目地部分に浸入した水の排水を可能にし、且つ縦目地部分への水の吹き上がりを抑制することができる。
【図面の簡単な説明】
【００２４】
【図１】本実施形態に係る建物のサッシ及びサッシ周辺部の概略構成図である。
【図２】本実施形態に係る止水構造を横方向から見た場合の構成図である。
【図３】本実施形態に係る止水構造を上方から見た場合の構成図である。
【図４】本実施形態に係る止水シートの説明図である。
【図５】本実施形態に係る構成部材に止水シートを取付けた状態を示す説明図である。
【図６】本実施形態に係る構成部材にサッシを取付けた状態を示す説明図である。
【図７】本実施形態に係る構成部材にサッシが取付けられ且つ一方側の外壁材が取付けられる前の状態を示す説明図である。
【図８】本実施形態に係る構成部材にサッシが取付けられ且つ他方側の外壁材が取付けられる前の状態を示す説明図である。
【図９】本実施形態に係る止水構造において水が吹き上がってくる状態を示す説明図である。
【発明を実施するための形態】
【００２５】
本実施形態に係る建物の止水構造の一例について説明する。
【００２６】
〔全体構成〕
図１には、建物の止水構造の一例としての止水構造３０が適用された建物１０の一部の概略構成が示されている。図２に示す建物１０は、一例として、柱１１Ａ（図３参照）及び図示しない床梁と、構成部材１２と、排水部材の一例としての水切材２６と、多孔質部材の一例としてのスポンジゴム２８と、止水構造３０とを含んで構成されている。なお、以後の説明では、建物１０の横方向（桁方向又は妻方向）をＸ方向、高さ方向（上下方向）をＹ方向、内外方向をＺ方向と称する。Ｘ方向、Ｙ方向及びＺ方向は、互いに直交する。
【００２７】
＜構成部材＞
図２に示す構成部材１２は、一例として、建物１０の屋外側（バルコニー１３側）でＸ方向に延在された支持フレーム１４と、サッシ用フレーム１６と、外壁用フレーム２２（図３参照）とを含んで構成されており、建物１０の一部を構成している。サッシ用フレーム１６及び外壁用フレーム２２は、支持フレーム１４に対して斜め上側（屋内側）に設けられている。なお、図２では、柱１１Ａ（図３参照）及び後述する縦フレーム１８（図３参照）の図示を省略している。
【００２８】
（支持フレーム）
支持フレーム１４は、建物１０の床梁に図示しないブラケットを介して取付けられている。また、支持フレーム１４は、一例として、Ｙ方向に沿った縦壁部１４Ａと、縦壁部１４Ａの下端からＺ方向の屋内側に延びる下壁部１４Ｂと、縦壁部１４Ａの上端からＺ方向の屋内側に延びる上壁部１４Ｃとを有するチャンネル材として構成されている。縦壁部１４ＡのＹ方向中央部及び下部の屋外側の側面は、バルコニー１３の床部上面から延びる防水シート１５によって屋外側から覆われている。また、縦壁部１４ＡのＹ方向上部の屋外側の側面及び上壁部１４Ｃの上面は、後述するシート材４６によって屋外側及び上方から覆われている。防水シート１５の上端とシート材４６の下端とは接触している。
【００２９】
（サッシ用フレーム)
図５に示すサッシ用フレーム１６は、一例として、Ｚ方向から見た場合に、Ｘ方向に長尺とされた横フレーム１７と、Ｙ方向に長尺とされた縦フレーム１８とが略矩形枠状に形成された構成とされている。
【００３０】
図２に示す横フレーム１７は、一例として、Ｘ方向から見た場合に、立壁部１７Ａと、下壁部１７Ｂと、立壁部１７Ｃと、上壁部１７Ｄとを有する階段状の断面形状を有する。立壁部１７Ａは、支持フレーム１４の上壁部１４Ｃの屋内側端部でＹ方向に直立している。下壁部１７Ｂは、立壁部１７Ａの上端から屋内側へＺ方向に沿って延びている。立壁部１７Ｃは、下壁部１７Ｂの屋内側端部でＹ方向に直立している。上壁部１７Ｄは、立壁部１７Ｃの上端から屋内側へＺ方向に沿って延びている。ここで、横フレーム１７は、後述するサッシ３６が図示しないビス等により取付けられることで、サッシ３６を下側及び屋内側から支持している。
【００３１】
図３に示す縦フレーム１８は、一例として、後述するサッシ３６の一部がネジ１９を用いてＸ方向に取付けられる側壁部１８Ａと、サッシ３６の他の一部がネジ２１を用いてＺ方向に取付けられる前壁部１８Ｂとを有する。
【００３２】
（外壁用フレーム）
図５に示す外壁用フレーム２２は、Ｘ方向に長尺とされた部材である。また、外壁用フレーム２２は、横フレーム１７とＸ方向に並んで配置されている。具体的には、外壁用フレーム２２は、後述する外壁材３２（図２参照）が載置される載置部２３と、外壁材３２を屋内側から支持する立壁部２４とを有する。
【００３３】
図２に示す載置部２３は、外壁材３２が載置される前の状態において、後述するシート材４６に覆われている。また、載置部２３は、上壁部１４Ｃの上面に対して１段高い位置に上面２３Ａが形成されている。上面２３Ａは、Ｘ方向及びＺ方向に広がる平面とされている。上面２３Ａの一部には、外壁材３２を固定するための図示しないボルトの軸部が挿入されるワッシャ２５（図６参照）が固定されている。なお、載置部２３のＸ方向端部（サッシ３６に近い側の端部）は、横フレーム１７のＸ方向端部（外壁材３２に近い側の端部）まで延出されている。
【００３４】
図５に示す立壁部２４は、載置部２３の屋内側端部でＹ方向に直立しており且つＸ方向に延びている。立壁部２４には、外壁材３２（図２参照）を取付ける図示しないボルトの軸部が挿通される貫通孔２４Ａが形成されている。ここで、外壁用フレーム２２は、後述する外壁材３２が図示しないボルト等により取付けられることで、外壁材３２を下側及び屋内側から支持するようになっている。
【００３５】
＜水切材＞
図２に示す水切材２６は、一例として、支持フレーム１４に沿ってＸ方向に長尺とされた排水用の部材であり、支持フレーム１４に取付けられている。具体的には、水切材２６は、Ｘ方向から見た場合の断面形状が略逆Ｌ字状を成しており、Ｚ方向に沿った上壁２６Ａと、上壁２６ＡのＺ方向屋外側端部からＹ方向下側に延びる縦壁２６Ｂとを有する。上壁２６ＡのＸ方向の一部は支持フレーム１４に取付けられているが、上壁２６ＡのＸ方向の他の部分は、支持フレーム１４と間隔をあけて配置されている。縦壁２６Ｂは、支持フレーム１４の縦壁部１４ＡとＺ方向に間隔をあけて配置されている。このように、水切材２６は、支持フレーム１４と共に、水Ｗを排水させるための流路２７を形成している。
【００３６】
＜スポンジゴム＞
スポンジゴム２８は、一例として、Ｘ方向に長い直方体状に形成されている。また、スポンジゴム２８は、流路２７の一部に、Ｙ方向及びＸ方向に間隔をあけて複数設けられている。換言すると、スポンジゴム２８は、流路２７を流れる水Ｗの一部を規制して、残りの水Ｗを流すように設けられている。また、スポンジゴム２８は、多孔質材であり、通気可能とされている。さらに、スポンジゴム２８は、水切材２６の下端周辺の開口部２９から流路２７に向かって吹き上がってくる水Ｗと接触することで、この吹き上がりの水Ｗを抑制するように構成されている。
【００３７】
〔要部構成〕
次に、止水構造３０について説明する。
【００３８】
図２に示す止水構造３０は、外壁材３２と、サッシ３６と、縦目地材３８と、水Ｗの吹き上がりを抑制する抑制手段の一例としての抑制部４２と、止水部材の一例としてのシート材４６と、圧縮部材４８（図３参照）とを有する。なお、止水構造３０は、一例として、サッシ３６に対するＸ方向の一方側と他方側とで同様の構成とされているため、一方側の構成を説明して、他方側の説明を省略する。
【００３９】
＜外壁材＞
図１に示す複数の外壁材３２は、一例として、それぞれ、Ｚ方向を厚さ方向としＹ方向に長い略矩形板状に形成された軽量気泡コンクリート（ＡＬＣ）で構成されている。外壁材３２における屋外側の表面には、複数の溝３２Ａ（図２及び図９では図示省略）が形成されている。外壁材３２の屋外側の表面は、建物１０の意匠面を構成している。
【００４０】
複数の外壁材３２のうち、大型のものを第１外壁材３３と称し、小型のものを第２外壁材３４と称する。図１では、一例として、２つの第１外壁材３３と３つの第２外壁材３４とが示されている。２つの第１外壁材３３は、Ｘ方向に間隔をあけて配置され、Ｙ方向に延びている。３つの第２外壁材３４は、２つの第１外壁材３３のＹ方向中央よりも上側の部位をＸ方向に繋ぐように、Ｘ方向に並んで配置されている。換言すると、複数の外壁材３２は、Ｚ方向から見た場合に、全体が逆Ｕ字状となるように配置されている。複数の外壁材３２によって囲まれた部分には、後述するサッシ３６が配置されている。
【００４１】
図３に示す第１外壁材３３は、外壁用フレーム２２に対してＺ方向の屋外側に設けられている。また、第１外壁材３３は、Ｙ方向から見た場合に、Ｚ方向の屋外側でＸ方向に延びる外面３３Ａと、屋内側でＸ方向に延びる内面３３Ｂと、外面３３ＡのＸ方向端部と内面３３ＢのＸ方向端部とを繋ぎＺ方向に延びる側面３３Ｃとを有する。一例として、外面３３Ａ及び側面３３Ｃには防水塗装が施されているが、内面３３Ｂには防水塗装が施されていない。
【００４２】
＜サッシ＞
図１に示すサッシ３６は、外壁材３２（第１外壁材３３）とＸ方向に隣合い、外壁材３２の外面３３Ａよりも屋内側でサッシ用フレーム１６（図３参照）に設けられている。また、サッシ３６は、一例として、Ｚ方向から見た場合に、Ｘ方向を長手方向としＹ方向を短手方向とする矩形状の枠部５２と、枠部５２の内側に配置された窓ガラス５４とを有する構成とされている。
【００４３】
枠部５２は、Ｘ方向に間隔をあけて配置されＹ方向に延びる一対の縦枠５６と、一対の縦枠５６の上端部をＸ方向に繋ぐ上枠５７と、一対の縦枠５６の下端部をＸ方向に繋ぐと共に窓ガラス５４を支持する下枠５８とを有する。下枠５８には、図示しないスナップフィット等の取付手段によって、下枠水切５９が取付けられている。
【００４４】
図２に示す下枠５８は、横フレーム１７の下壁部１７Ｂ及び上壁部１７Ｄに図示しないビスを用いて取付けられている。また、下枠５８の一部は、立壁部１７ＡよりもＺ方向の屋外側へ延びている。この下枠５８の一部は、支持フレーム１４の上壁部１４ＣとＹ方向に間隔をあけて、上壁部１４Ｃよりも上側に配置されている。また、この下枠５８の一部には、既述の通り、下枠水切５９が取付けられている。
【００４５】
図３に示す縦枠５６のＸ方向外側端部には、ネジ１９を用いて側壁部１８Ａに取付けられる取付部６２と、ネジ２１を用いて前壁部１８Ｂに取付けられる取付部６４とが形成されている。Ｚ方向から見た場合に、取付部６２は、Ｘ方向を厚さ方向としてＺ方向に延びる板状に形成されている。取付部６４は、取付部６２のＺ方向屋外側の端部からＸ方向の外側（外壁材３２側）へ延びている。また、取付部６４は、Ｘ方向から見た場合に、外壁材３２のＺ方向中央よりも屋内側の部位と重なるように配置されている。
【００４６】
横フレーム１７（図２参照）及び縦フレーム１８にサッシ３６が取付けられ、且つ外壁用フレーム２２に外壁材３２が取付けられた状態において、取付部６４と外壁材３２との間には、Ｙ方向に長い縦目地としての目地６６が形成されている。なお、前壁部１８Ｂ及び取付部６４には、前壁部１８Ｂと取付部６４との隙間を塞ぐ防水テープ６５が貼付けられている。
【００４７】
＜縦目地材＞
図２に示す縦目地材３８は、一例として、１次防水ラインを構成する不定形シール材７２と、不定形シール材７２に対する屋内側で２次防水ラインを構成する定形シール材７４とを有する。また、縦目地材３８は、外壁材３２とサッシ３６との間で建物１０のＹ方向及びＺ方向に延びている。さらに、縦目地材３８は、構成部材１２との間に、水Ｗが流れる空間部３９を形成している。
【００４８】
（不定形シール材）
不定形シール材７２は、一次シール材として、既述の目地６６に配置されており、目地６６を止水している。また、不定形シール材７２は、目地６６において、Ｙ方向に直線状に延びる第１縦部７２Ａと、第１縦部７２Ａの下端部から下枠水切５９までＺ方向の屋外側へ延びる横部７２Ｂと、横部７２Ｂの屋外側端部から下側へ延びる第２縦部７２Ｃとを有する。換言すると、不定形シール材７２は、Ｘ方向から見た場合に略クランク状に形成されている。不定形シール材７２としては、例えば、ウレタンや変成シリコンなどが用いられる。
【００４９】
第２縦部７２Ｃの下端は、外壁材３２の下面及び下枠水切５９の下面とほぼ同じ高さに配置されている。これにより、第１縦部７２Ａ及び横部７２Ｂに対するＹ方向下側で且つ第２縦部７２Ｃに対するＺ方向屋内側には、空間部３９の一部（下部）を構成する空間部３９Ａが形成されている。空間部３９Ａは、既述の流路２７と繋がっている。また、第２縦部７２ＣのＹ方向下側には、水切材２６の上壁２６Ａが配置されている。第２縦部７２Ｃと上壁２６Ａとの間には、横目地材７６が設けられている。
【００５０】
横目地材７６は、一例として、不定形シール材７２と同様の材料で構成されている。また、横目地材７６は、Ｘ方向に沿って、下枠水切５９と水切材２６との間の目地部分にも設けられている。
【００５１】
（定形シール材）
定形シール材７４は、二次シール材（ガスケット）として、目地６６において、不定形シール材７２に対するＺ方向屋内側に配置されている。また、定形シール材７４は、Ｙ方向に直線状に延びており、不定形シール材７２の第１縦部７２Ａと接触している。さらに、定形シール材７４は、図示しない両面テープや接着剤を用いて、外壁材３２及びサッシ３６に固定されている。
【００５２】
図３に示す定形シール材７４は、一例として、エチレンプロピレンジエンゴム（ＥＰＤＭ）を含む弾性材で構成されている。また、定形シール材７４は、Ｙ方向から見た場合に、Ｘ方向を厚さ方向とする板状の基部７４Ａと、基部７４ＡのＺ方向の屋内側端部でＸ方向両側に張出された張出部７４Ｂと、基部７４ＡのＺ方向の屋外側端部でＸ方向両側に張出された張出部７４Ｃとを有する。
【００５３】
張出部７４Ｂ及び張出部７４Ｃは、それぞれＸ方向の両外側端部が屋外側を向くように斜め方向に延びており、外壁材３２及びサッシ３６によりＸ方向に圧縮されている。これにより、目地６６では、Ｙ方向から見た場合に、一例として３つの閉断面が形成されている。この３つの閉断面の内側の空間部を、第１空間部７８、第２空間部７９、第３空間部８１と称する。なお、本実施形態では、第１空間部７８、第２空間部７９及び第３空間部８１を既述の空間部３９（図２参照）に含める。
【００５４】
第１空間部７８は、不定形シール材７２と張出部７４Ｃとで囲まれている。第２空間部７９は、基部７４Ａと、張出部７４Ｂと、張出部７４Ｃと、サッシ３６の取付部６４とで囲まれている。第３空間部８１は、基部７４Ａと、張出部７４Ｂと、張出部７４Ｃと、外壁材３２とで囲まれている。第１空間部７８、第２空間部７９及び第３空間部８１のＹ方向上端及び下端は解放されている。これにより、第１空間部７８、第２空間部７９及び第３空間部８１では、Ｙ方向における空気及び水の流通が可能となっている。また、第１空間部７８、第２空間部７９及び第３空間部８１の下端は、既述の空間部３９Ａ（図２参照）と繋がっている。
【００５５】
＜抑制部＞
図２に示す抑制部４２は、一例として、空間部３９の一部に配置され水Ｗの上昇を規制する規制部材８２と、空間部３９Ａと連通された補助空間部８４とを有する。そして、抑制部４２は、空間部３９における水Ｗの吹き上がりを抑制するように構成されている。
【００５６】
（規制部材）
規制部材８２は、一例として、空間部３９のうち、定形シール材７４と縦フレーム１８（図３参照）との間の空間部３９Ｂの下部に配置されている。具体的には、規制部材８２は、空間部３９ＢにおいてＹ方向に間隔をあけて配置された２つのスポンジ材８６で構成されている。２つのスポンジ材８６は、一例として、ＥＰＤＭスポンジで構成されており、それぞれＹ方向に長い直方体状に形成されている。また、Ｘ方向から見た場合に、下側のスポンジ材８６は、下枠５８の下端部と重なるように配置されており、上側のスポンジ材８６は、下枠５８の上端部と重なるように配置されている。
【００５７】
図３に示すように、スポンジ材８６は、外壁材３２と、後述するシート材４６（外壁用フレーム２２）と、前壁部１８Ｂと、定形シール材７４とで囲まれることで、Ｘ方向及びＺ方向に圧縮状態とされている。なお、図２に示す２つのスポンジ材８６の間の空間部を減圧部８７と称する。
【００５８】
スポンジ材８６では、図示しない複数の孔によって通気が可能となっているが、Ｘ方向、Ｙ方向及びＺ方向の水Ｗの移動については、複数の孔壁と水Ｗとが接触することで、少なくとも一部が規制されるようになっている。ここで、規制部材８２は、２つのスポンジ材８６を有しているので、仮に水Ｗが下側のスポンジ材８６を通過しても、通過した水Ｗを上側のスポンジ材８６で規制するようになっている。減圧部８７は、スポンジ材８６の狭い孔よりも容積が大きい空間部であるので、下側のスポンジ材８６の孔を通過した水Ｗが減圧部８７に浸入することで、水の加圧力が解放されるようになっている。換言すると、減圧部８７では、水が減圧されるようになっている。
【００５９】
（補助空間部）
図５に示す補助空間部８４は、支持フレーム１４及び後述するシート材４６と、サッシ３６（図２参照）との間に形成され、且つＸ方向端部が空間部３９Ａと連通された空間部である。なお、図５では、Ｘ方向端部の補助空間部８４のみを図示しているが、実際は、補助空間部８４は、Ｘ方向に延在されている。
【００６０】
図２に示すように、補助空間部８４は、具体的には、Ｘ方向から見た場合に、上壁部１４Ｃと、立壁部１７Ａと、下枠５８及び下枠水切５９と、横目地材７６とで囲まれ、空間部３９Ａと連通された空間部である。補助空間部８４の容積は、定形シール材７４を流れる（流下する）水Ｗの予測体積と、空間部３９Ａの容積との差に基づいて、空間部３９Ａ内に水Ｗが溜まり難くなるように決められている。本実施形態では、補助空間部８４の容積が、空間部３９Ａの容積よりも大きい設定とされている。
【００６１】
換言すると、補助空間部８４は、空間部３９Ａに流れる水Ｗが空間部３９Ａに溜まらないように、また、空間部３９Ａの圧力が予め設定した圧力よりも高くならないように、空間部３９Ａに流れた水Ｗを一時的に貯留する貯留部として機能するようになっている。補助空間部８４に流れた水Ｗは、水切材２６の流路２７を介して屋外へ排水されるようになっている。なお、流路２７に設けられたスポンジゴム２８は、補助空間部８４への水の吹き上がりを抑制すると共に通気を可能としている。
【００６２】
＜シート材＞
図５に示すシート材４６は、一例として、ＣＲ（クロロプレンゴム）シートにより構成されており、耐水性を有する。また、シート材４６は、一例として、設ける場所に合わせて異なる形状に形成された第１シート材９２、第２シート材９４及び第３シート材９６を有する。第１シート材９２及び第２シート材９４は、支持フレーム１４及びサッシ用フレーム１６を屋外側から覆っている。第３シート材９６は、外壁用フレーム２２を屋外側から覆っている。第１シート材９２、第２シート材９４及び第３シート材９６は、Ｘ方向に並べられ、ジョイントテープ９１により繋げられている。
【００６３】
図４には、第１シート材９２をＸ方向から見た状態が示されている。第１シート材９２は、Ｚ方向又はＹ方向を厚さ方向として配置されている。なお、図４では、第１シート材９２が支持フレーム１４及びサッシ用フレーム１６（図２参照）に取付けられ、５箇所でほぼ直角に屈曲された状態が示されているが、取付けられる前の第１シート材９２は平板状となっている。
【００６４】
また、第１シート材９２は、一例として、取付け状態において、Ｙ方向上側に延びる３つの縦部９２Ａ、９２Ｃ、９２Ｅと、Ｚ方向屋内側に延びる３つの横部９２Ｂ、９２Ｄ、９２Ｆとを有する。換言すると、第１シート材９２は、縦部９２Ａ、横部９２Ｂ、縦部９２Ｃ、横部９２Ｄ、縦部９２Ｅ及び横部９２Ｆが、階段状に形成された構成とされている。縦部９２Ａ、９２Ｃ、９２Ｅのそれぞれの屋内側の面には、一例として、構成部材１２（図２参照）に第１シート材９２を取付けるためのブチルテープ９３が設けられている。また、縦部９２Ａには、ブチルテープ９３よりも上側にＥＰＤＭスポンジ９５が設けられている。
【００６５】
図２に示すように、縦部９２Ａは、縦壁部１４Ａに屋外側から取付けられている。横部９２Ｂは、上壁部１４Ｃに上側から取付けられている。縦部９２Ｃは、立壁部１７Ａに屋外側から取付けられている。横部９２Ｄは、下壁部１７Ｂに上側から取付けられている。縦部９２Ｅは、立壁部１７Ｃに屋外側から取付けられている。横部９２Ｆは、上壁部１７Ｄに上側から取付けられている。
【００６６】
図５に示すように、第２シート材９４は、一例として、縦壁部１４Ａ、上壁部１４Ｃ及び横フレーム１７に取付けられる第１取付部９４Ａと、縦壁部１４Ａ、上壁部１４Ｃ、載置部２３及び縦フレーム１８に取付けられる第２取付部９４Ｂとを有する。第１取付部９４Ａは、第１シート材９２と同様の構成とされており、ジョイントテープ９１を用いて、隣の第１シート材９２に繋がれている。
【００６７】
第２取付部９４Ｂは、縦壁部１４Ａ及び上壁部１４Ｃに取付けられる下部１０２と、載置部２３に取付けられる中間部１０４と、縦フレーム１８に取付けられる上部１０６とを有する。中間部１０４は、載置部２３に対して上側に配置された上面１０４Ａを有する。上面１０４Ａは、Ｘ−Ｚ面に沿った平面とされている。上部１０６は、縦フレーム１８に対してＺ方向の屋外側に配置された前面１０６Ａを有する。前面１０６Ａは、Ｘ−Ｙ面に沿った平面とされている。
【００６８】
図５では、下側のスポンジ材８６が上面１０４Ａ及び前面１０６Ａに貼付けられ、上側のスポンジ材８６が前面１０６Ａに貼付けられた状態が示されている。換言すると、上部１０６のＹ方向の高さは、２つのスポンジ材８６のＹ方向の高さよりも高い。つまり、構成部材１２と規制部材８２との間に設けられたシート材４６（第２シート材９４）は、Ｙ方向の高さが規制部材８２の高さよりも高いことで、規制部材８２側から構成部材１２の屋内側への水Ｗの移動を規制するようになっている。
【００６９】
第３シート材９６は、一例として、縦壁部１４Ａ及び上壁部１４Ｃに取付けられる第１取付部９６Ａと、載置部２３に取付けられる第２取付部９６Ｂと、立壁部２４に取付けられる第３取付部９６Ｃとを有する。また、第３シート材９６は、ジョイントテープ９１を用いて、隣の第２シート材９４に繋がれている。第３取付部９６Ｃは、立壁部２４の貫通孔２４Ａよりも下側に取付けられている。
【００７０】
＜圧縮部材＞
図５に示す圧縮部材４８は、一例として、ＥＰＤＭスポンジ１１２と、ＥＰＤＭスポンジ１１４とにより構成されている。ＥＰＤＭスポンジ１１２は、Ｙ方向を厚さ方向とする板状に形成されている。また、ＥＰＤＭスポンジ１１２は、Ｙ方向から見た場合にＺ方向を短手方向としＸ方向を長手方向とする矩形状に形成されている。ＥＰＤＭスポンジ１１２のＺ方向の幅は、載置部２３のＺ方向の幅の略半分程度とされている。さらに、ＥＰＤＭスポンジ１１２は、載置部２３の中央よりも屋内側の部分に上側から貼り付けられており、下側のスポンジ材８６からＸ方向に延びている。
【００７１】
ＥＰＤＭスポンジ１１４は、Ｚ方向を厚さ方向とする板状に形成されている。また、ＥＰＤＭスポンジ１１４は、Ｚ方向から見た場合にＸ方向を短手方向としＹ方向を長手方向とする矩形状に形成されている。さらに、ＥＰＤＭスポンジ１１４は、第２シート材９４の上部１０６に屋外側から貼り付けられており、下側のスポンジ材８６及び上側のスポンジ材８６に隣合ってＹ方向に延びている。
【００７２】
図３に示すように、外壁材３２が構成部材１２に取付けられた状態において、ＥＰＤＭスポンジ１１２は、載置部２３（図５参照）と外壁材３２とでＹ方向に挟まれることで圧縮されている。これにより、空間部３９（図２参照）から載置部２３と外壁材３２との間への水Ｗの浸入が抑制されている。
【００７３】
外壁材３２が構成部材１２に取付けられた状態において、ＥＰＤＭスポンジ１１４は、立壁部２４におけるシート材４６と外壁材３２とでＺ方向に挟まれることで圧縮されている。これにより、空間部３９（図２参照）から立壁部２４と外壁材３２との間への水Ｗの浸入が抑制されている。
【００７４】
＜止水構造の施工＞
図５に示すように、構成部材１２に対して第１シート材９２、第２シート材９４及び第３シート材９６が取付けられる。そして、第２シート材９４にスポンジ材８６が貼付けられる。さらに、載置部２３にＥＰＤＭスポンジ１１２が貼付けられ、上部１０６にＥＰＤＭスポンジ１１４が貼付けられる。続いて、構成部材１２に水切材２６（図２参照）が取付けられる。
【００７５】
続いて、図６、図７及び図８に示すように、構成部材１２にサッシ３６が取付けられる。これにより、サッシ３６とシート材４６との間には、補助空間部８４（図２参照）が形成される。なお、図６、図７及び図８では、不定形シール材７２の配置状態を分かり易く示すために、不定形シール材７２を図示しているが、実際の作業工程では、サッシ３６を取付けた段階では、不定形シール材７２は設けられていない。また、図６、図７及び図８では、定形シール材７４及び規制部材８２（図２参照）の図示を省略している。
【００７６】
続いて、載置部２３に外壁材３２（図２参照）が載せられ、図示しないボルトを用いて外壁材３２が構成部材１２に取付けられる。これにより、図３に示すように、ＥＰＤＭスポンジ１１２が、載置部２３（図５参照）と外壁材３２とでＹ方向に挟まれることで圧縮される。さらに、ＥＰＤＭスポンジ１１４が、立壁部２４におけるシート材４６と外壁材３２とでＺ方向に挟まれることで圧縮される。このときに、サッシ３６と外壁材３２との間に目地６６が形成される。
【００７７】
続いて、目地６６に定形シール材７４が挿入される。このときに、定形シール材７４の下部がスポンジ材８６と接触する。定形シール材７４は、サッシ３６と外壁材３２とでＸ方向に挟まれることで圧縮される。
【００７８】
続いて、図２に示すように、目地６６において、サッシ３６の外縁部に合わせて不定形シール材７２が設けられる。これにより、目地６６が閉塞されると共に、空間部３９Ａが形成される。このようにして、止水構造３０が形成される。なお、サッシ３６と水切材２６との間、及び外壁材３２と水切材２６との間には、横目地材７６が設けられる。
【００７９】
〔作用〕
次に、本実施形態の作用について説明する。
【００８０】
図２に示す止水構造３０において、目地６６の屋内側（空間部３９）へ水Ｗが浸入する可能性がある。例えば、不定形シール材７２の一部が破損している場合には、この破損部分から目地６６の屋内側へ水Ｗが浸入する可能性がある。また、サッシ３６が外壁材３２に対して屋内側に配置され（インセットされ）且つ縦枠５６のＺ方向の幅に対して下枠５８のＺ方向の幅が広いことにより、雨天時には、下枠５８がより多くの雨水を受けることになる。このため、サッシ３６の屋外側の部位を流れた水Ｗの一部が、サッシ３６自体に存在する隙間から空間部３９へ浸入する可能性がある。ここで、止水構造３０において、空間部３９へ水Ｗが浸入した場合を想定して説明する。
【００８１】
空間部３９Ｂに浸入した水Ｗは、例えば、第１空間部７８を通って下側へ流され、空間部３９Ａに到達する。一方、サッシ３６のＸ方向の端部において屋外側から浸入した水Ｗは、空間部３９Ａに流れる。ここで、空間部３９Ａには、空間部３９Ａよりも容積の大きい補助空間部８４が繋がっているため、空間部３９Ａに到達した水Ｗの一部は、補助空間部８４に流れる。このため、空間部３９Ａにおいて水Ｗの水位が過度（空間部３９Ａから構成部材１２側へ溢れる程度）に上昇することが抑制される。
【００８２】
空間部３９Ａの水Ｗの一部及び補助空間部８４の水Ｗは、流路２７を通って屋外へ排出される。このように、止水構造３０では、外壁材３２とサッシ３６との間で縦目地材３８と構成部材１２との間の空間部３９を水Ｗが流れることで、縦目地部分（目地６６）に浸入した水Ｗを排水することができる。
【００８３】
一方、図９に示す止水構造３０において、例えば、強風により加圧された状態の水Ｗ（雨水）が流路２７に浸入する、いわゆる吹き上がりが生じたとする。流路２７内に浸入した水Ｗの一部は、補助空間部８４を通って空間部３９Ａに浸入（流入）する可能性がある。空間部３９Ａに対して外部から水Ｗ（雨風）が浸入された場合には、空間部３９Ａ内の水Ｗが加圧されることになるので、空間部３９Ａにおいて、さらに水Ｗの吹き上がりが生じる可能性がある。
【００８４】
ここで、空間部３９Ａから空間部３９Ｂへの水Ｗの吹き上がりは、不定形シール材７２及び定形シール材７４によって抑制されると共に、抑制部４２によって抑制される。具体的には、加圧により上昇される水Ｗは、不定形シール材７２と接触されることで上昇が抑制される。また、加圧により上昇される水Ｗのうち、定形シール材７４の既述の各空間部に浸入された水Ｗは、定形シール材７４がＹ方向に長く延在されていることから、屋内側へ浸入され難く、やがて重力により落下する。
【００８５】
さらに、空間部３９Ｂでは、上昇される水Ｗと規制部材８２（スポンジ材８６）とが接触されることで、水Ｗの上昇が規制されるので、水Ｗの吹き上がりが抑制される。このように、止水構造３０では、外壁材３２に対してサッシ３６が屋内側に配置された建物１０において、目地６６に浸入した水Ｗの排水を可能にし、且つ目地６６への水Ｗの吹き上がりを抑制することができる。
【００８６】
また、止水構造３０では、規制部材８２が空間部３９Ｂの一部に配置されているが、空間部３９Ｂの他の部位（例えば、張出部７４Ｂ（図３参照）とスポンジ材８６との間）が解放されているので、空間部３９Ｂ内の水Ｗを排水することができる。さらに、空間部３９Ｂの一部では、規制部材８２が水Ｗの上昇を規制するので、水Ｗの吹き上がりを抑制することができる。このように、定形シール材７４を用いつつ抑制部４２として規制部材８２を設けることで、排水と水Ｗの吹き上がり抑制とを両立させることができる。
【００８７】
さらに、止水構造３０では、規制部材８２として２つのスポンジ材８６が高さ方向に間隔をあけて設けられている。このため、仮に一番下のスポンジ材８６で水Ｗの吹き上がりを抑制しきれない場合であっても、二番目のスポンジ材８６によって水Ｗの吹き上がりを抑制することができる。また、２つのスポンジ材８６の間の空間部である減圧部８７が圧力の解放部として機能するので、水Ｗの吹き上げ圧力が減圧され、水Ｗの吹き上がりをさらに抑制することができる。
【００８８】
加えて、止水構造３０では、構成部材１２と規制部材８２との間に、Ｙ方向の高さが規制部材８２の高さよりも高いシート材４６が設けられている（図３参照）。このため、規制部材８２で規制しきれなかった一部の水Ｗが空間部３９Ｂ内で吹き上がった場合に、シート材４６が、構成部材１２に対する屋内側への水Ｗの移動を規制する。これにより、構成部材１２の屋内側に水Ｗが浸入するのを抑制することができる。
【００８９】
また、図３に示す止水構造３０では、外壁材３２と構成部材１２との隙間が圧縮部材４８によって塞がれるので、外壁材３２と構成部材１２との隙間への水Ｗの浸入を抑制することができる。
【００９０】
さらに、図２に示す止水構造３０では、空間部３９Ａ内に浸入された水Ｗの一部が補助空間部８４に浸入することで、空間部３９で水Ｗが溢れるのを抑制することができる。さらに、空間部３９Ａと補助空間部８４とが繋がっていることで、吹き上がりによって加圧される空間部分の容積が空間部３９単体の容積に比べて大きくなるので、空間部３９内において吹き上がろうとする水Ｗの加圧力が減圧される。これにより、空間部３９Ｂにおける水Ｗの吹き上がりを抑制することができる。
【００９１】
加えて、止水構造３０では、補助空間部８４に流れる水Ｗの量が増加した場合に、過剰な水Ｗが構成部材１２と水切材２６との間の流路２７を通って開口部２９から排水される。これにより、補助空間部８４から屋内側（構成部材１２側）へ水Ｗが溢れることを抑制することができる。
【００９２】
また、止水構造３０では、補助空間部８４の空気の一部がスポンジゴム２８を通って外部（屋外）へ流出されるために、補助空間部８４において圧力が高まることが抑制される。さらに、スポンジゴム２８が外部から補助空間部８４への水Ｗの一部の浸入を抑制する。これらの作用によって、空間部３９に向けた水Ｗの吹き上がりの加圧力が減圧されるので、補助空間部８４及び空間部３９への水の浸入を抑制することができる。
【００９３】
さらに、図３に示す止水構造３０では、防水テープ６５が前壁部１８Ｂと取付部６４との隙間を塞ぐので、空間部３９（図２参照）から前壁部１８Ｂと取付部６４との隙間への水Ｗの浸入を抑制することができる。
【００９４】
なお、本発明は上記の実施形態に限定されない。
【００９５】
止水構造３０の抑制部４２は、規制部材８２を有するものに限らず、例えば、空間部３９Ｂを形成する部位の一部に送風手段を設けて、空間部３９Ｂに向けて送風することで、水Ｗの上昇を規制するものであってもよい。また、規制部材８２（スポンジ材８６）の数は、１つであっても３つ以上であってもよい。さらに、Ｙ方向に並ぶ複数の規制部材８２が互いにＹ方向で接触していてもよい。
【００９６】
また、止水構造３０において、構成部材１２と規制部材８２との間にシート材４６が設けられていなくてもよい。さらに、止水構造３０において、構成部材１２と外壁材３２との間に圧縮部材４８が設けられていなくてもよい。加えて、止水構造３０において、空間部３９Ａの大きさが十分確保されている場合には、補助空間部８４が形成されていなくてもよい。補助空間部８４の容積は、空間部３９Ａからの排水及び空間部３９Ｂへの吹き上がり抑制が可能となる構成であれば、空間部３９Ａの容積よりも小さいものであってもよい。
【００９７】
さらに、止水構造３０において、水切材２６が設けられていなくてもよい。加えて、止水構造３０において、流路２７にスポンジゴム２８が設けられていなくてもよい。スポンジゴム２８の数は、単数又は複数のいずれであってもよい。
【００９８】
外壁材３２は、ＡＬＣに限らず、プレキャストコンクリート板や押出成形板等であってもよい。
【符号の説明】
【００９９】
１０  建物
１２  構成部材
２６  水切材（排水部材の一例）
２７  流路
２８  スポンジゴム（多孔質部材の一例）
３０  止水構造（建物の止水構造の一例）
３２  外壁材
３３Ａ  外面
３６  サッシ
３８  縦目地材
３９  空間部
４２  抑制部（抑制手段の一例）
４６  シート材（止水部材の一例）
４８  圧縮部材
８２  規制部材
８４  補助空間部
【図１】
2019120028.tif 000003
【図２】
2019120028.tif 000004
【図３】
2019120028.tif 000005
【図４】
2019120028.tif 000006
【図５】
2019120028.tif 000007
【図６】
2019120028.tif 000008
【図７】
2019120028.tif 000009
【図８】
2019120028.tif 000010
【図９】
2019120028.tif 000011